(57)【特許請求の範囲】
【請求項１】
さまざまな色、色相および強度の光を投射する装置において、
光路に沿ってほぼ平行な光を発生する光源と、
光学セグメントのアレイを備え、前記光源からの光が複数の光領域に分割される前記光路中のエリアを生成する一次光学素子と、
各フィルタがフィルタセグメントのアレイを含む少なくとも１つのフィルタを備え、前記光路中で前記一次光学素子より後に位置付けされるフィルタ手段とを具備し、
前記各光領域は前記光学セグメントを通った後にエリアが減少し、
前記フィルタ手段は、前記フィルタセグメントが前記光領域に突き当たらない非配置位置から、前記フィルタセグメントが前記光領域に突き当たる配置位置に前記フィルタ手段を移動させることにより配置され、
前記フィルタ手段の影響の程度は、前記光領域上に前記フィルタセグメントが突き当たる量を制御することにより制御され、
前記一次光学素子の光学セグメントのアレイが放射状アレイであり、
前記フィルタ手段のフィルタセグメントのアレイが放射状アレイである光投射装置。
【請求項２】
前記光学セグメントの数が前記フィルタセグメントの数と等しい請求項１記載の光投射装置。
【請求項３】
光投射装置から投射される光が前記一次光学素子において方向付けられる光の投射方向とほぼ同じ投射方向を持つように前記光を再方向付けするために、前記光路中で前記フィルタ手段より後に二次光学素子がインストールされる請求項１記載の光投射装置。
【請求項４】
前記一次光学素子が屈折レンズセグメントを備えている請求項１記載の光投射装置。
【請求項５】
前記一次光学素子が反射セグメントを備えている請求項１記載の光投射装置。
【請求項６】
前記フィルタ手段が、それぞれ異なる光学特性を有する複数のフィルタを備えている請求項１記載の光投射装置。
【請求項７】
前記フィルタの少なくとも１つは、赤外線光を通過させて、ユーザが投射光の強度を制御できるようにする可視光ブロッキングフィルタである請求項６記載の光投射装置。
【請求項８】
前記フィルタの少なくとも１つは干渉フィルタである請求項６記載の光投射装置。
【請求項９】
前記フィルタの少なくとも１つは吸収性材料から形成される請求項６記載の光投射装置。
【請求項１０】
前記フィルタの少なくとも１つはダイクロイックフィルタである請求項６記載の光投射装置。
【請求項１１】
さまざまな強度の光を投射する装置において、
光路に沿ってほぼ平行な光を発生する光源と、
光学セグメントのアレイを備え、前記光源からの光が複数の光領域に分割される前記光路中のエリアを生成する一次光学素子と、
赤外線光を通過させ、フィルタセグメントのアレイを含む可視光ブロッキングフィルタを備え、前記光路中で前記一次光学素子の後に位置付けられるフィルタ手段とを具備し、
前記各光領域は前記光学セグメントを通った後にエリアが減少し、
前記フィルタ手段は、前記フィルタセグメントが前記光領域に突き当たらない非配置位置から、前記フィルタセグメントが前記光領域に突き当たる配置位置に前記フィルタ手段を移動させることにより配置され、
前記フィルタ手段の影響の程度は、前記光領域上に前記フィルタセグメントが突き当たる量を制御することにより制御され、
前記一次光学素子の光学セグメントのアレイが放射状アレイであり、
前記フィルタ手段のフィルタセグメントのアレイが放射状アレイである光投射装置。
【発明の詳細な説明】
【０００１】
【発明の属する技術分野】
本発明は一般的にエンターテイメントおよび建築上の照明に関し、特に、照明モジュールから放出される色の色相、彩度および輝度を制御する装置に関する。
【０００２】
【従来の技術】
着色光源は劇場、テレビ、ツアー作品、建築上の適用において使用されることが多い。特定の芸術的な効果を得るために色相、彩度および強度において色を変化させる。芸術的な要求は、色を静的なままにすることや、色を時間に対して変化させることかもしれない。色を変化させる費用や速度、生み出される色数、色変化のスムーズさ、コンパクトなサイズおよび重さ、光が色フィルタを透過する効率が、色変更システムの実際の用途におけるすべての要因である。
【０００３】
光源の色を変化させる１つの従来技術の方法は、特定の色フィルタを光路に手で挿入して特定の芸術的結果を得る方法である。この方法は、所望の正確な色にならない場合にフィルタを変更することが必要であった。色フィルタを変更するには新しい色フィルタの獲得や古いフィルタの交換が必要であった。このように特定のフィルタを使用すると、パフォーマンスの間に光の色を変化させることができない。これらの適用で最もよく使用されるフィルタは、ゲルと呼ばれる、着色されたあるいはコーティングされたプラスチックフィルムである。この材料の耐久性は制限されており、高出力光源とともに使用する際には頻繁に交換することが必要である。光透過の一般的な効率は低い。あるダークブルーおよびレッドの色を生成する際には、透過率は２％位に低くなることがある。
【０００４】
色フィルタとしてゲルを使用する導入時から、発明者はゲルを利用して光源の色を遠隔的に変化させるいくつかの方法を生み出している。コロラド州、コロラドスプリングスのWybron氏によるスクローラは複数の異なる色のゲルを１対のスクロールの回りに適合されたバンドにアセンブルする。このスクロールは光源口径の対向する両側に間隔を空けて位置付けられている。スクロールを回転させることにより、スクロール上の任意の色にアクセスすることができる。この方法とその変形は多くの会社により製造されている製品に具現化されており、色を変化させるコンパクトな解決方法である。しかしながら、この方法は多くの欠点を持っている。スクロールを位置付けし、制御するメカニズムは費用がかかりまた複雑である。光源からの熱にさらされながらスクロール上で前後に回転されるとゲルは短期間に劣化する。さらに、一度に使用することができる異なる色の数は、単一のゲルバンドにアセンブルすることができる色の数に制限される。色を変更する遅い速度、フィルタ材料の低い透過効率およびゲルフィルタを頻繁に交換する必要性もこの従来技術の方法における欠点である。
【０００５】
本発明者であるRichardson氏に対する米国特許第５，１２６，８８６号は改善されたスクロールタイプのゲル色変更装置を開示している。色彩度を変化させるイエロー、シアン、マゼンタのスクロールが光路に連続して位置付けられている。３つのスクロールのさまざまな配置により際限ない数の色になる。色はすばやくあるいはゆっくりと変化させることができる。１つの色から他の色への遷移はスムーズである。この色変更システムのメカニズムは単一のスクロールシステムの３倍の複雑さを持つので、費用と信頼性に欠点がある。
【０００６】
他の発明者は、干渉またはダイクロイックタイプのフィルタを利用して光源の色を変化させる他のいくつかの方法を生み出した。ダイクロイックフィルタは光を透過する効率がよく耐久性があるが、費用がかかる。１９９１年１２月１７日にBornhorst氏に発行された米国特許第５，０７３，８４７号と、１９９３年２月１６日にBornhorst氏らに発行された米国特許第５，１８６，５３６号は、一連のダイクロイック色フィルタを傾かせて、さまざまな色を生み出す方法を開示している。しかしながら、このシステムは生み出す色の量、色フィルタの過度の費用、およびシステムが非常に複雑な制御メカニズムを必要とする事実において制限がある。
【０００７】
１９９２年６月３０日に本発明者のRichardson氏に発行された米国特許第４，９１４，５５６号は、それぞれ色彩度のレベルを変化させるイエロー、シアンおよびマゼンタフィルタホイールのアセンブリを開示している。光源と口径との間のホイールの位置により、口径における色の彩度および色相が決まる。このモジュールは際限のない数の色を生み出すが、比較的費用がかかる。このモジュールのフィルタは口径よりもサイズが何倍も大きくなければならない。これは非常に高い費用対口径サイズ比となる。
【０００８】
【発明が解決しようとする課題】
コンパクトかつシンプルしたがって信頼性があり、製造および維持に費用がかからない光色制御メカニズムを提供することが本発明の目的である。
白色光源とすれば、ユーザにより選択された任意の色を放射することができる装置を提供することが本発明の別の目的である。
効率よく光を透過する装置を提供することが本発明のさらに別の目的である。
【０００９】
【課題を解決するための手段】
本発明はさまざまな色、色相および強度の光を投射する照明モジュールである。この装置には光源と光を光路に沿って方向付ける反射器とが備えられている。一次レンズ素子は光が光路中のフィルタアセンブリエリアに入る時に影響を受ける光領域の断面積を減少させる。フィルタアセンブリ中のフィルタは、ユーザにより要望される色、色相および強度の光を生み出すために、組み合わせや程度を変化させて配置される。レンズセグメントの屈折作用によりフィルタを光路中に物理的に位置付けることができるが、フィルタ素子セグメントがレンズセグメントと整列するようにフィルタを回転させるまでフィルタは光に影響を与えずに、照明モジュールから投射されている光を変化させる。
【００１０】
本発明の効果は、ユーザが望む任意の色、色相および強度の光を投射することができる単一でコンパクトなユニットを提供することである。これにより複数個の装置を使用する必要がなくなる。
本発明の他の効果は、製造するのが簡単で費用がかからず、したがって信頼性があり維持が容易なことである。
本発明のさらに他の効果は、レンズセグメントの効果によりフィルタを光路中にインストールすることができ、非配置位置にある時にフィルタは影響を与えないことである。
本発明のこれらおよび他の目的ならびに効果は、ここに説明され、図面に図示されているような発明を実施するために現在知られているベストモードの説明の観点において当業者に明らかになるであろう。
【００１１】
【発明の実施の形態】
本発明は図１および図４に図示されているように光源とともに使用される色フィルタモジュールである。最初に図１を参照すると、システムの動作を説明する際の参照のために光源１０が示されている。光源は任意のタイプまたはサイズでよく、当該技術分野の当業者により知られているものである。光源１０は反射器１２内に位置付けられている。反射器１２は光源１０の場合と同じように任意の普通タイプまたはサイズのものでよい。図面にはパラボラ反射器が描かれている。集光レンズを備えた光源のような、ほぼ平行光を発生する任意の光源もモジュール中で使用することができる。これらの光源は当業者によく知られている。
【００１２】
入射光線１４（図４参照）は、一次光学素子１６、色フィルタアセンブリ１８および二次光学素子２０を含む光路に沿ったほぼ平行経路で反射器１２から放射する。光線は出射光線２２として二次光学素子２０を出る。
【００１３】
一次光学素子１６が、光路縦軸に沿った位置から見ているように図５において詳細に示されている。本発明の好ましい実施形態では、一次光学素子１６は２４個の同一レンズセグメント１６１から構成されている。このレンズセグメント１６１はくさび形であり、一次光学素子１６の中心１６２の回りに放射状に互いに隣接して位置付けられている。各レンズセグメント１６１の焦線１６３は一次光学素子１６の中心１６２から始まり、レンズセグメント１６１の縦の中心に沿って外側に放射している。一次光学素子１６は一般的に成形プロセスにより、固体片の材料から形成される単一素子であることが好ましい。図６および図７は一次光学素子に対する別の構成を示している。
【００１４】
図８は一対の典型的なレンズセグメント１６１の側面図を示す光線トレースである。示されているものは左から入り、レンズセグメント１６１に突き当たっている入射光線１４である。屈折光線２４はレンズセグメント１６１から出て、焦点２６に収束する。すべての焦点２６はレンズセグメント１６１の対応する焦線１６３上に存在する。その後光線は焦点２６を出ると発散光線２８となり、二次光学素子２０のレンズセグメント２０１に突き当たる。二次光学素子２０は一次光学素子１６と同一のものとして示されており、焦点２６に関して一次光学素子１６と鏡面対称とされている。二次光学素子２０は光ビームを平行にするので、この光ビームは再度ほぼ平行な光である。
【００１５】
二次光学素子２０は実際には一次光学素子１６とは異なっていてもよい。この差異はフィルタアセンブリの特定の適用に基づく。ユーザがほぼ平行な光を要求しないのであれば、ユーザは二次光学素子をまったく取り除くことができ、このようにするとさらに拡散した光ビームとなる。この状況は図１１に示されている。
【００１６】
出射光線２２は二次レンズセグメント２０１から放射し、その経路は光路軸とほぼ平行である。ここに示されている光学素子のタイプはシンプルな非対称両凸タイプであるが、他の多くのタイプを使用して所要の結果を得てもよい。光分野の当業者は無限数の光学素子を考案して、断面積の減少または光線の再方向付けまたはこの両方についての所要の結果を得ることができる。
【００１７】
本発明の光学素子の第１の代替実施形態が図６および図９に示されている。図６は反射光学素子を示している。反射セグメント１６１’は一次光学素子１６’の中心１６２’から放射状に広がっている。オープンスペース１６３’の幅は反射セグメント１６１’の角度幅と等しいかこれよりも小さい。図６では、オープンスペース１６３’は反射セグメント１６１’と比較して等しい幅で示されている。反射セグメント１６１’は一次光学素子１６’の中心１６２’の回りに等しい間隔を空けて位置付けられており、オープンスペース１６３’が反射セグメント１６１’を分離している。
【００１８】
図９は光線トレースであり、第１の代替実施形態の装置の動作を側面から示している。入射光線１４は妨げられずに一次反射光学素子１６’のオープンスペース１６３’を通る（２つの反射セグメント１６１’が示されている）。光線は妨げられずに二次反射光学素子２０’中の等価な開口も通る。二次反射光学素子２０’が光路軸に沿って反対方向に向けられていることを除いて、二次反射光学素子２０’は一次反射光学素子１６’と等価である。第１の好ましい実施形態と同様に、二次反射光学素子２０’は特定の適用の要求に基づいて一次反射光学素子１６’と異なる構成をとってもよい。
【００１９】
入射光線１４は一次反射光学素子１６’の反射セグメント１６１’の反射面で反射する。上側の入射光線１４は、一次反射光学素子１６’の上側反射セグメント１６１’の下側表面と二次反射光学素子２０’の下側反射セグメント２０１’の上側表面との間のオープンスペースに渡って反射する。下側入射光線１４は、下側一次反射セグメント１６１’の上側表面で反射し、オープンスペースを横切り、上側二次反射セグメント２０１’の下側表面で反射する。二次反射セグメント２０１’の表面は一次反射セグメント１６１’の表面と平行であるので、出射光線２２は入射光線１４の経路と平行な経路へ伝播する。光線の中には光学素子により影響を受けないオープンスペースを通るものもあることに着目すべきである。光学素子前後の光線は方向が平行であるが、位置が再構成されていることにも着目すべきである。すなわち、上側入射光線は下側出射光線になり、下側入射光線は上側出射光線になる。
【００２０】
第２の代替実施形態が図７および図１０に示されている。図７は第１の代替実施形態の光学素子１６’と類似した光学素子１６”を示している。しかしながら、光学素子１６”は光学素子１６’のものよりも高い個々の反射セグメント１６１”を持っている。第１の代替実施形態と同様に、反射セグメント１６１”はオープンスペース１６３”により分離されており、光学素子１６”の中心１６２”の回りに放射状に位置付けられている。
【００２１】
図１０は光線トレースであり、一次光学素子１６”の２つの反射セグメント１６１”の動作を側面から示している。再度説明すると、中央の入射光線１４の中には妨げられずに上側反射セグメント１６１”の下側表面と下側反射セグメント１６１”の上側表面との間のオープンスペースを通るものもある。上側入射光線１４は反射光学素子１６”の上側反射セグメント１６１”の下側表面で反射する。下側入射光線１４は下側反射セグメント１６１”の上側表面で反射する。照明適用の中には、より高い反射セグメント１６１”により提供される狭い角度の発散が好ましいものがある。
【００２２】
示されている両代替実施形態は、第１の好ましい実施形態の屈折素子とはまったく異なっており、反射素子を使用する。反射素子を使用する任意の実施形態では、特定の適用に最もよく適合するように反射表面の角度を変化させることにより、光の発散量を変化させることができる。したがって、これらの反射素子における修正および欠点は屈折素子における同様な変化よりも光路においてさらに顕著な影響を持つ。反射の角度は入射角に等しいので、反射セグメントの角度における１°の変化は光路において２°の変化をもたらす。
【００２３】
本発明の一次光学素子１６，１６’，１６”の各実施形態には、影響を受ける光領域の断面積エリアを少なくとも半分減少させるレンズまたは反射セグメント１６１，１６１’，１６１”が含まれている。レンズ内で複数のセグメントを利用する一次光学素子の構成は、光フィルタまたは他の光学素子が配置されるまでは光に影響を与えないようにしながら、光フィルタまたは他の光学素子を光路中にインストールできるようにする。いったん配置されると、フィルタは投射された光の特性を変化させる。
【００２４】
光学素子は図面では放射アレイとして図示されているが、図２および図３に図示されているように、線形またはマトリクスアレイの光学セグメントとして容易に構成することができる。アレイが線形またはマトリクスである場合には、放射アレイにより使用される回転運動とはまったく異なって、フィルタ素子の配置は線形運動による。放射フィルタの配置は以下の“発明の動作”セクションで説明する。
【００２５】
図８を参照すると、フィルタアセンブリ１８が光路の中央に位置付けられている。光学フィルタ１８０は、光路の縦軸に対して垂直に向けられている。フィルタアセンブリ１８は、一般的に、シアンフィルタ１８１、マゼンタフィルタ１８２、イエローフィルタ１８３およびブラックフィルタ１８４を備えている。光学フィルタの順序は装置の動作に差異をもたらさない。さらに、フィルタ材料は任意のタイプのダイクロイック、着色ガラス、着色プラスチック、あるいは他のタイプの光フィルタとすることができる。
【００２６】
ブラックフィルタ１８４は可視スペクトルの光のみを反射または吸収するまたはこの両者を行う材料またはタイプのものであることが好ましい。反射フィルタの例は薄膜干渉タイプのフィルタである。このタイプのフィルタはほとんどすべての可視光を反射し、ほとんどすべての赤外線エネルギを透過する。赤外線エネルギを透過し、可視光をブロックする材料の例は、シリコン、ガリウム砒素、テルル化カドミウムである。赤外線スペクトルのエネルギを吸収しない利点は、より少ない熱しかシステム内部に含まれなくなることや、より少ない熱しか光源に対して反射して戻されないことである。
【００２７】
低電力の適用に対しては、ブラックフィルタ１８４が可視および赤外線エネルギを吸収または反射することができる。スチールやアルミニウムがこのタイプのフィルタに適切な材料である。
【００２８】
１つの特定の色のみを発生させる要求がある適用をユーザが持つのであれば、開示されているようなフィルタアセンブリ１８以外の単一フィルタを使用してもよい。他のフィルタタイプも同様にフィルタアセンブリ１８で使用してもよい。使用してもよい他のタイプの光フィルタの例は、レッド、グリーン、ブルーフィルタや、拡散フィルタ（本出願人の留保中の同日出願参照）や、紫外線透過フィルタや、偏光フィルタや、色補正フィルタである。
【００２９】
図１２はフィルタアセンブリ１８中で使用されるフィルタ１８０を示しており、光軸に沿って見た図である。この構成は、利用することができる複数フィルタの内の任意のものを用いた典型的なものである。典型的なフィルタセグメント１８０１はくさび形であり、フィルタ１８０の中心１８０２の回りに放射状に位置付けられている。複数のくさび形フィルタセグメント１８０１がフレーム１８０４に取り付けられている。フィルタセグメント１８０１はフィルタされていないエリア１８０３により分離されている。このエリア１８０３は透明な材料のエリアあるいは何らかの材料がないエリアのいずれであってもよい。利用されるフィルタセグメント１８０１の数は光学素子中で利用されるレンズセグメントの数に等しい。使用されるすべてのフィルタの中心および使用されるすべての光学素子の中心は同軸である。これらの中心を含む線は装置中の光路の中心線を規定する。フレーム１８０４はフィルタ素子１８０の中心１８０２に関して回転するように構成されている。任意の数の方法を選択して、フィルタ１８０にこのタイプの動きをするようにさせることができる。フィルタ１８０の内の任意のものを光軸に関して回転運動させると、フィルタが光を遮ることになる。
【００３０】
発明の動作
図８ないし図１１を参照すると、フィルタ１８０が非配置位置にある場合、フィルタセグメント１８０１の中心線は、一次光学素子１６，１６’，１６”の焦線間またはオープンスペース間に整列している。フィルタ１８０を配置しようとする場合には、フィルタセグメント１８０１が一次光学素子１６，１６’，１６”のレンズまたは反射セグメントからの屈折または反射光線を横切り始めるようにフィルタ１８０が回転される。再度説明すると、線形またはマトリクスアレイが利用されると、フィルタ１８０の光路への動きは回転運動とはまったく異なって線形運動となる。
【００３１】
図１３ないし図１６では、シアンフィルタ１８１のフィルタセグメント１８０１が光領域上に突き当たり始めるようにシアンフィルタ１８１が回転されている。すべての実施形態では、フィルタアセンブリ１８はエリア３０中の光路に位置付けられ、このエリア３０ではレンズまたは反射セグメント１６１，１６１’，１６１”が、各セグメントを通り抜ける光を屈折または反射することにより光領域の断面積を減少させている。したがって、複数のフィルタ１８０の内の１つを回転させると、フィルタセグメントが光に影響を与えるようになる。フィルタからの影響がさらに望まれる場合には、フィルタセグメント１８０１が完全に光路に入るようにフィルタをさらに回転させる。フィルタアセンブリ１８中のすべてのフィルタ１８０がこのように配置される。
【００３２】
再度説明すると、減少した断面積の複数の領域に光を分ける一次光学素子のレンズセグメントが、フィルタ１８０のこの独特な配置を可能にするものである。フィルタ１８０が光路内に回転されるまでは光にとってフィルタ１８０は見えない。したがって、フィルタされる光の量はフィルタの回転の程度に関係している。
【００３３】
レッド、グリーン、ブルーの光を生成するためには、少なくとも２つのフィルタ１８０が同時に配置される。１以上のフィルタ１８０の部分的な配置により、異なる色相または彩度の色または色相および彩度の両方が異なる色が生成される。ブラックフィルタ１８４を減少エリア３０に導入すると、装置を透過する光の強度を制御することができる。４つのフィルタ１８１，１８２，１８３，１８４の組み合わせを変えることにより、ユーザが任意の彩度、色相または強度の色を生成することができる。
【００３４】
減少エリアの中または外へのフィルタ１８０の移動は手動で行うことができ、あるいは、遠隔またはコンピュータ制御を利用するモータまたはソレノイドにより制御することができる。モータまたはソレノイド制御の技術分野における当業者は、フィルタ１８０の配置を制御する非常に多くの方法を考案することができる。
【００３５】
本発明の色フィルタモジュールは、図１７に図示されているように、既存の従来の照明器具に対して容易に追加することができる。図１８に図示しているように、色フィルタアセンブリを照明器具の製品に組み込むことによっても、本発明の色フィルタモジュールを構成することができる。
【００３６】
上記の開示は限定しようと意図するものではない。当業者は、本発明の教示を保持しながら装置の多くの修正または代替を成し得ることに容易に気づくであろう。したがって、上記の開示は特許請求の範囲の制限によってのみ限定されると解釈すべきである。
【図面の簡単な説明】
【図１】色システムと付随する光源を示す図である。
【図２】線形アレイシステムを示す図である。
【図３】マトリクスアレイシステムを示す図である。
【図４】さまざまな主要構成部品の平面図および関係を示す図である。
【図５】光路軸に沿って見た一次光学素子の詳細図である。
【図６】別の一次光学素子の詳細図である。
【図７】さらに別の一次光学素子の詳細図である。
【図８】２つの屈折光学素子を備えたシステムの光線トレースの一部を示す図である。
【図９】２つの反射光学素子を備えた別のシステムの光線トレースの一部を示す図である。
【図１０】１つの反射光学素子を備えたさらに別のシステムの光線トレースの一部を示す図である。
【図１１】１つの屈折光学素子を備えたシステムの光線トレースの一部を示す図である。
【図１２】光路軸に沿って見たフィルタ素子アセンブリの詳細図である。
【図１３】配置されたフィルタを備えた２レンズシステムの光線トレースの一部を示す図である。
【図１４】配置されたフィルタを備えた２反射素子システムの光線トレースの一部を示す図である。
【図１５】配置されたフィルタを備えた単一反射素子システムの光線トレースの一部を示す図である。
【図１６】配置されたフィルタを備えた単一レンズシステムの光線トレースの一部を示す図である。
【図１７】本発明にしたがって構成された装置を示す図である。
【図１８】本発明にしたがって構成された別の装置を示す図である。
【符号の説明】
１０…光源
１２…反射器
１４…入射光線
１６，１６’，１６”…一次光学素子
１６１…レンズセグメント
１６１’，１６１”…反射セグメント
１６２，１６２’，１６２”…中心
１６３…焦線
１６３’，１６３”…オープンスペース
１８…フィルタアセンブリ
１８０…光学フィルタ
１８１…シアンフィルタ
１８２…マゼンタフィルタ
１８３…イエローフィルタ
１８４…ブラックフィルタ
１８０１…フィルタセグメント
１８０２…中心
１８０３…フィルタされていないエリア
１８０４…フレーム
２０，２０’…二次光学素子
２０１…レンズセグメント
２０１’…反射セグメント
２２…出射光線
２４…屈折光線
２６…焦点
２８…発散光線
３０…減少エリア
【図１】
0004272752.tif 000002
【図２】
0004272752.tif 000003
【図３】
0004272752.tif 000004
【図４】
0004272752.tif 000005
【図５】
0004272752.tif 000006
【図６】
0004272752.tif 000007
【図７】
0004272752.tif 000008
【図８】
0004272752.tif 000009
【図９】
0004272752.tif 000010
【図１０】
0004272752.tif 000011
【図１１】
0004272752.tif 000012
【図１２】
0004272752.tif 000013
【図１３】
0004272752.tif 000014
【図１４】
0004272752.tif 000015
【図１５】
0004272752.tif 000016
【図１６】
0004272752.tif 000017
【図１７】
0004272752.tif 000018
【図１８】
0004272752.tif 000019